(57)【特許請求の範囲】
【請求項１】
管状のオス側接続部と、
前記オス側接続部内に連通する液体流通空間が設けられた液体流通部と、
管体を受け入れ可能な第１のメス側接続口および第２のメス側接続口と、
弾性材料で構成され、頂部に形成された頂部スリットおよび側部に形成された側部スリットを有し、前記第１のメス側接続口に管体が接続されたときに両スリットが開くように変形する第１の弁体と、
弾性材料で構成され、頂部に形成された頂部スリットおよび側部に形成された側部スリットを有し、前記第２のメス側接続口に管体が接続されたときに両スリットが開くように変形する第２の弁体とを備え、
前記第１の弁体の側部スリットと、前記第２の弁体の側部スリットとは、前記液体流通空間に面しており、
前記第１のメス側接続口に管体が接続されたとき、前記第１の弁体の頂部スリットおよび側部スリットと、前記液体流通空間とを介して当該管体内と前記オス側接続部内とが連通し、
前記第２のメス側接続口に管体が接続されたとき、前記第２の弁体の頂部スリットおよび側部スリットと、前記液体流通空間とを介して当該管体内と前記オス側接続部内とが連通することを特徴とする接続具。
【請求項２】
前記第１のメス側接続口または前記第２のメス側接続口と、前記オス側接続部とは、それらの中心線がほぼ平行になるように配置されている請求項１に記載の接続具。
【請求項３】
前記液体流通部、前記第１の弁体および前記第２の弁体は、一体に形成されている請求項１または２に記載の接続具。
【請求項４】
前記第１のメス側接続口および前記第２のメス側接続口の少なくとも一方は、対応する弁体に対し相対的に軸方向に移動可能に設けられている請求項１または２に記載の接続具。
【請求項５】
前記第１の弁体の中心線と、前記第２の弁体の中心線とは、ねじれの位置にある請求項１または２に記載の接続具。
【請求項６】
前記第１のメス側接続口は、前記第１の弁体に対し相対的に軸方向に移動可能に設けられており、前記第２のメス側接続口は、前記第２の弁体に対し相対的に軸方向に移動可能に設けられている請求項５に記載の接続具。
【請求項７】
管状のオス側接続部と、
前記オス側接続部内に連通する液体流通空間が設けられた液体流通部と、
管体を受け入れ可能なメス側接続口を有するハウジングと、
弾性材料で構成され、前記ハウジング内に収納されるとともに前記オス側接続部に対し固定的に設置され、頂部に形成された頂部スリットおよび側部に形成された側部スリットを有し、前記メス側接続口に管体が接続されたときに両スリットが開くように変形する弁体とを備え、
前記弁体の側部スリットは、前記液体流通空間に面しており、
前記ハウジングは、前記弁体に対し相対的に軸方向に移動可能になっており、前記メス側接続口に管体を接続するとき、前記ハウジングが前記弁体に対して移動することによって当該管体が前記メス側接続口内に挿入し、
前記メス側接続口に管体が接続されたとき、前記弁体の頂部スリットおよび側部スリットと、前記液体流通空間とを介して当該管体内と前記オス側接続部内とが連通することを特徴とする接続具。
【請求項８】
前記管体が接続されたとき、前記頂部スリットに挿入して前記頂部スリットを押し広げる中実なピンを有する請求項１、２または７に記載の接続具。
【請求項９】
管状のオス側接続部と、
前記オス側接続部内に連通する液体流通空間が設けられた液体流通部と、
管体を受け入れ可能なメス側接続口と、
弾性材料で構成され、頂部に形成された頂部スリットと、側部に形成された側部スリットと、中空部とを有し、前記メス側接続口に管体が接続されたときに両スリットが開くように変形する弁体と、
前記弁体の中空部に位置する中実のピンとを備え、
前記弁体の側部スリットは、前記液体流通空間に面しており、
前記メス側接続口に管体を接続したとき、当該管体が前記弁体の頂面を押圧して前記弁体が軸方向に圧縮されることにより、前記側部スリットが開くとともに前記ピンが前記頂部スリットに挿入して前記頂部スリットを押し広げ、これにより、前記頂部スリットおよび前記側部スリットと、前記液体流通空間とを介して当該管体内と前記オス側接続部内とが連通することを特徴とする接続具。
【請求項１０】
前記液体流通空間は、液体が流れるに際し、液体の滞留が生じないような形状になっている請求項１、２、７または９に記載の接続具。
【発明の詳細な説明】
【技術分野】
【０００１】
本発明は、管体の接続・脱離に伴って流路を開・閉する弁機構を備えた接続具に関する。
【背景技術】
【０００２】
輸液、輸血、栄養投与等に用いる医療用回路においては、複数の薬液や血液、流動食等の流体を持続的または一時的に流すため、回路の接続、脱離を行うことがある。そして、そのために回路の途中に接続具を取り付けていることは、よく知られている（例えば、特開平９−１０８３６１号公報および特公平５−３２０７１号公報参照）。【０００３】
この接続具の代表的なものとしては、三方活栓がある。この三方活栓は、一つのオス型ルアーコネクタと、二つのメス型ルアーコネクタによって構成されており、ルアーコネクタの嵌合によって回路の接続をおこなう。しかしながら、この場合、脱離した時に流体通路となる部位が外気に露出しているため、菌汚染に弱いという欠点があった。特にメス側の接続部は、接続、脱離を繰り返して使用される事が多いため、外気に触れる頻度が高いという問題があった。【０００４】
この為、メス側接続口の流体通路となる部分の外気暴露を抑えるためにメス側接続口に弁体を設けた接続具がある。この接続具では、弁体に針を穿刺したり、スリットを設けた弁体にオス型コネクタを挿入して流体通路を開通させるため、針やオス型コネクタの脱離後は再び弁体が閉じ、流体通路の外気暴露を抑える事ができる。【０００５】
しかし、これらの接続具は、弁体が一方のメス側接続口にしか取りつけられていない為、他方のメス側接続口からオス型コネクタを外すと、メス側接続口が大気暴露してしまうという問題があった。【０００６】
また、これらの接続具は、メス側接続口の中に滞留部が生じ、薬液が全量流れにくい、滞留部によって菌が繁殖し易い環境となりがちである、などの欠点がある。また、使用前に接続具内を薬液等の流体で満たして使用するが、接続具内のエアーが抜きにくいという問題があった。【０００７】
さらに、メス側接続口に針やオス型コネクタを脱着する時に、接続具内の内容量が変化しやすいという問題があった。例えばオス型コネクタを脱離した時に接続具内の内容量が増えると、接続具につながれた血管カテーテルから血液をカテーテル内に逆流させることとなり、血管カテーテルの閉鎖の原因となる。
【発明の開示】
【０００８】
本発明の目的は、管体の接続・脱離に伴なって流路が確実に開・閉して流路の汚染を防止することができるとともに、液体の滞留が生じにくい接続具を提供することにある。
【０００９】
上記目的を達成するために、本発明の接続具は、管状のオス側接続部と、
前記オス側接続部内に連通する液体流通空間が設けられた液体流通部と、
管体を受け入れ可能な第１のメス側接続口および第２のメス側接続口と、
弾性材料で構成され、頂部に形成された頂部スリットおよび側部に形成された側部スリットを有し、前記第１のメス側接続口に管体が接続されたときに両スリットが開くように変形する第１の弁体と、
弾性材料で構成され、頂部に形成された頂部スリットおよび側部に形成された側部スリットを有し、前記第２のメス側接続口に管体が接続されたときに両スリットが開くように変形する第２の弁体とを備え、
前記第１の弁体の側部スリットと、前記第２の弁体の側部スリットとは、前記液体流通空間に面しており、
前記第１のメス側接続口に管体が接続されたとき、前記第１の弁体の頂部スリットおよび側部スリットと、前記液体流通空間とを介して当該管体内と前記オス側接続部内とが連通し、
前記第２のメス側接続口に管体が接続されたとき、前記第２の弁体の頂部スリットおよび側部スリットと、前記液体流通空間とを介して当該管体内と前記オス側接続部内とが連通することを特徴とする。
【００１０】
これにより、管体の接続・脱離に伴なって流路が確実に開・閉するので、流路の汚染を防止することができる。また、接続具の内部で液体が滞留する個所が生じるのを防止することができる。
【００１１】
また、本発明の接続具では、前記第１のメス側接続口または前記第２のメス側接続口と、前記オス側接続部とは、それらの中心線がほぼ平行になるように配置されているのが好ましい。
【００１２】
また、本発明の接続具では、前記液体流通部、前記第１の弁体および前記第２の弁体は、一体に形成されているのが好ましい。
【００１３】
また、本発明の接続具では、前記第１のメス側接続口および前記第２のメス側接続口の少なくとも一方は、対応する弁体に対し相対的に軸方向に移動可能に設けられているのが好ましい。
【００１４】
また、本発明の接続具では、前記第１の弁体の中心線と、前記第２の弁体の中心線とは、ねじれの位置にあるのが好ましい。
【００１５】
また、本発明の接続具では、前記第１のメス側接続口は、前記第１の弁体に対し相対的に軸方向に移動可能に設けられており、前記第２のメス側接続口は、前記第２の弁体に対し相対的に軸方向に移動可能に設けられているのが好ましい。
【００１６】
また、上記目的を達成するために、本発明の接続具は、管状のオス側接続部と、
前記オス側接続部内に連通する液体流通空間が設けられた液体流通部と、
管体を受け入れ可能なメス側接続口を有するハウジングと、
弾性材料で構成され、前記ハウジング内に収納されるとともに前記オス側接続部に対し固定的に設置され、頂部に形成された頂部スリットおよび側部に形成された側部スリットを有し、前記メス側接続口に管体が接続されたときに両スリットが開くように変形する弁体とを備え、
前記弁体の側部スリットは、前記液体流通空間に面しており、
前記ハウジングは、前記弁体に対し相対的に軸方向に移動可能になっており、前記メス側接続口に管体を接続するとき、前記ハウジングが前記弁体に対して移動することによって当該管体が前記メス側接続口内に挿入し、
前記メス側接続口に管体が接続されたとき、前記弁体の頂部スリットおよび側部スリットと、前記液体流通空間とを介して当該管体内と前記オス側接続部内とが連通することを特徴とする。
【００１７】
これにより、管体の接続・脱離に伴なって流路が確実に開・閉するので、流路の汚染を防止することができる。また、接続具の内部で液体が滞留する個所が生じるのを防止することができる。
【００１８】
また、本発明の接続具では、前記管体が接続されたとき、前記頂部スリットに挿入して前記頂部スリットを押し広げる中実なピンを有するのが好ましい。
【００１９】
また、上記目的を達成するために、本発明の接続具は、管状のオス側接続部と、
前記オス側接続部内に連通する液体流通空間が設けられた液体流通部と、
管体を受け入れ可能なメス側接続口と、
弾性材料で構成され、頂部に形成された頂部スリットと、側部に形成された側部スリットと、中空部とを有し、前記メス側接続口に管体が接続されたときに両スリットが開くように変形する弁体と、
前記弁体の中空部に位置する中実のピンとを備え、
前記弁体の側部スリットは、前記液体流通空間に面しており、
前記メス側接続口に管体を接続したとき、当該管体が前記弁体の頂面を押圧して前記弁体が軸方向に圧縮されることにより、前記側部スリットが開くとともに前記ピンが前記頂部スリットに挿入して前記頂部スリットを押し広げ、これにより、前記頂部スリットおよび前記側部スリットと、前記液体流通空間とを介して当該管体内と前記オス側接続部内とが連通することを特徴とする。
【００２０】
これにより、管体の接続・脱離に伴なって流路が確実に開・閉するので、流路の汚染を防止することができる。また、接続具の内部で液体が滞留する個所が生じるのを防止することができる。
【００２１】
また、本発明の接続具では、前記液体流通空間は、液体が流れるに際し、液体の滞留が生じないような形状になっているのが好ましい。
【００２２】
また、本発明の接続具では、前記メス側接続口に管体を接続していないとき、前記ピンは、前記弁体の中空部をほぼ隙間なく埋めているのが好ましい。
【図面の簡単な説明】
【００２３】
【図１】第１図は、本発明の接続具の実施形態を示す部分断面斜視図である。
【図２】第２図は、図１に示す接続具の断面斜視図である。
【図３】第３図は、図１に示す接続具が備える弁部材を示す斜視図である。
【図４】第４図は、図１に示す接続具が備える弁部材を示す断面斜視図である。
【図５】第５図は、図１に示す接続具の断面斜視図である。
【図６】第６図は、図１に示す接続具の断面斜視図である。
【図７】第７図は、図１に示す接続具の断面斜視図である。
【図８】第８図は、図１に示す接続具の断面斜視図である。
【図９】第９図は、図１に示す接続具の断面斜視図である。
【発明を実施するための最良の形態】
【００２４】
以下、本発明の接続具を添付図面に示す好適な実施形態に基づいて詳細に説明する。【００２５】
図１は、本発明の接続具の実施形態を示す部分断面斜視図、図２は、図１に示す接続具の断面斜視図、図３および図４は、それぞれ、図１に示す接続具が備える弁部材を示す斜視図および断面斜視図、図５ないし図９は、それぞれ、図１に示す接続具の断面斜視図である。【００２６】
これらの図に示す接続具１は、例えば、輸液セット（輸血セット）、栄養セット、圧力モニタリングライン、人工肺回路、人工透析回路等のような、液体の流路接続を必要とする医療用具に組み込んで使用されるものである。【００２７】
図１に示すように、接続具１は、管体を受け入れ可能な第１のメス側接続口３０および第２のメス側接続口４０と、１つのオス側接続部５０と、第１のメス側接続口３０に設けられた第１の弁体６と、第２のメス側接続口４０に設けられた第２の弁体７とを有している。【００２８】
第１のメス側接続口３０および第２のメス側接続口４０には、それぞれ、流路を構成する管体（例えばシリンジの先端突出部位や、それ自体独立したハブ、シース等）を挿入して接続可能になっている。【００２９】
第１のメス側接続口３０の中心線と、第２のメス側接続口４０の中心線とは、ねじれの位置にあるとともに、ほぼ９０°の角度をなしている。以下の説明では、第１のメス側接続口３０の中心線に平行な方向を「Ｙ軸方向」と言い、第２のメス側接続口４０の中心線に平行な方向、すなわちＹ軸方向に垂直な方向を「Ｘ軸方向」と言う。【００３０】
オス側接続部５０は、内部に流路５１が形成された管状の部材であり、その中心線がＸ軸方向になるように配置されている。このオス側接続部５０は、先端に向かって外径が漸減するルアーテーパを構成している。オス側接続部５０は、他の器具のメス側接続口（例えばカテーテルハブの基端開口など）に挿入・接続することができる。【００３１】
このような接続具１は、複数個の接続具１を集め、各接続具１のオス側接続部５０を他の接続具１の第２のメス側接続口４０に挿入・接続することによって複数個の接続具１を連結した状態として使用することもできる。その際、第２のメス側接続口４０とオス側接続部５０とが平行かつ反対向きに設けられていることにより、複数個の接続具１を直線的に連結することができ、使用しやすい形に連結することができる。【００３２】
第１のメス側接続口３０は、ハウジング３の一部として形成されている。ハウジング３は、側面の一部が切り欠かれたほぼ円筒状をなしており、その一端側に第１のメス側接続口３０を有している。【００３３】
第２のメス側接続口４０は、ハウジング４の一部として形成されている。ハウジング４は、側面の一部が切り欠かれたほぼ円筒状をなしており、その一端側に第２のメス側接続口４０を有している。【００３４】
図２に示すように、ハウジング４の内側には、管状部材５が挿入されている。この管状部材５の一端側（第２のメス側接続口４０と反対側）が前述したオス側接続部５０を構成している。【００３５】
管状部材５の他端側には、支持体２が設置されており、この支持体２が弁部材１１を支持している。管状部材５内の流路５１の他端は、弁部材１１の内部に形成された液体流通空間１２１に連通している。【００３６】
図３に示すように、弁部材１１は、第１の弁体６と、第２の弁体７と、液体流通部１２と、被固定部１３とが弾性材料により一体的に形成されてなるものである。【００３７】
弁部材１１（第１の弁体６および第２の弁体７）の材質としては特に限定されないが、適度な弾性と復元性とを有するものが好ましく、例えば、シリコーンゴムなどの各種ゴム材料や、ポリブタジエン、ＥＶＡ、スチレン系エラストマー等の各種熱可塑性樹脂が好ましく用いられる。【００３８】
第１の弁体６は、その中心線の方向がＹ軸方向に平行なほぼ円柱状の胴部６２と、胴部６２よりやや縮径した頂部（頭部）６１とで構成されている。頂部６１には、頂面６１１まで到達する（貫通する）頂部スリット６３が形成されている。【００３９】
第２の弁体７は、その中心線の方向がＸ軸方向に平行なほぼ円柱状の胴部７２と、胴部７２よりやや縮径した頂部（頭部）７１とで構成されている。頂部７１には、頂面７１１まで到達する（貫通する）頂部スリット７３が形成されている。【００４０】
第１の弁体６と第２の弁体７とは、それらの中心線同士がねじれの位置の関係にあり、それらの側部同士が液体流通部１２を介して連結されている。また、被固定部１３は、第１の弁体６より外径の大きいほぼ円筒状をなしており、その端部にフランジ１３１を有している。【００４１】
図４に示すように、液体流通部１２の内部には、液体流通空間（内腔）１２１が形成されている。この液体流通空間１２１は、液体が流れるに際し、液体の滞留が可能な限り生じないような形状になっている。換言すれば、液体流通空間１２１は、液体がよどむ入り江のような個所を有さない形状になっている。【００４２】
接続具１では、第１の弁体６および第２の弁体７の中心線同士がねじれの位置にあることにより、これらの中心線同士が同一平面上で交わる場合と比べ、液体流通空間１２１の容積を極めて小さくすることができる利点がある。【００４３】
第１の弁体６の胴部６２の側部（側壁）には、側部スリット６４が形成されており、この側部スリット６４の外側は、液体流通空間１２１に面している。図示の構成では、頂部スリット６３と側部スリット６４とは、同一平面上に連続して形成されているが、三次元的に一部交差するように形成されていてもよい。【００４４】
また、胴部６２の内部には、ほぼ円柱状のピン挿入空間（中空部）６５が同心的に形成されている。このピン挿入空間６５と、液体流通空間１２１とは、側部スリット６４が形成された側壁によって隔てられている。【００４５】
第２の弁体７の胴部７２の側部（側壁）には、側部スリット７４が形成されており、この側部スリット７４の外側は、液体流通空間１２１に面している。図示の構成では、頂部スリット７３と側部スリット７４とは、同一平面上に連続して形成されているが、三次元的に一部交差するように形成されていてもよい。【００４６】
また、胴部７２の内部には、ほぼ円柱状のピン挿入空間（中空部）７５が同心的に形成されている。このピン挿入空間７５と、液体流通空間１２１とは、側部スリット７４が形成された側壁によって隔てられている。【００４７】
図２に示すように、以上説明したような弁部材１１は、支持体２に支持・固定されている。支持体２は、弁部材１１の被固定部１３の内側に挿入する挿入部２１と、被固定部１３のフランジ１３１と重なるフランジ２２とを有している。挿入部２１およびフランジ２２は、管状部材５と一体的に形成されている。支持体２は、フランジ１３１とフランジ２２とを全周に渡り重ねて挟持する固定部材２３を有しており、これにより、弁部材１１が支持体２に固定されるとともに、液密が維持される。固定部材２３は、管状部材５とは別部材で構成されている。【００４８】
挿入部２１の内部には、オス側接続部５０内の流路５１から連続して流路が形成され、弁部材１１内の液体流通空間１２１に連通している。【００４９】
支持体２は、第２の弁体７のピン挿入空間７５に位置する中実のピン２４をさらに有している。このピン２４は、挿入部２１と一体的に形成されている。第２のメス側接続口４０にオスルアー（管体）２００を接続していない状態（以下、「非接続状態」と言う）で、ピン２４は、ピン挿入空間７５をほぼ隙間なく埋めるような形状をなしている。これにより、ピン挿入空間７５に液体が滞留するのが防止される。また、ピン２４は中空部を有さない中実な部材であるので、ピン２４内にも液体が滞留するのが防止される。【００５０】
図５に示すように、支持体２は、第１の弁体６を支持する台座２５と、第１の弁体６のピン挿入空間６５に位置する中実のピン２６とをさらに有している。台座２５とピン２６とは、固定部材２３と一体的に形成されている。第１のメス側接続口３０にオスルアー（管体）１００を接続していない状態（以下、「非接続状態」と言う）で、ピン２６は、ピン挿入空間６５をほぼ隙間なく埋めるような形状をなしている。これにより、ピン挿入空間６５に液体が滞留するのが防止される。また、ピン２６は中空部を有さない中実な部材であるので、ピン２６内にも液体が滞留するのが防止される。【００５１】
ハウジング３は、支持体２に対し摺動可能に設置されており、第１の弁体６の頂面６１１に垂直な方向（Ｙ軸方向）に移動可能である。図示の構成では、ハウジング３の側壁の内面にＹ軸方向に沿って設けられた凸条３２と支持体２の台座２５に設けられた凹部（図示せず）とが噛み合いつつ案内することにより、ハウジング３の移動方向がＹ軸方向に規制される。【００５２】
ハウジング３の底面３３と台座２５との間には、ハウジング３がＹ軸方向に移動したとき図５に示す非接続状態の位置に戻すように付勢するコイルバネ１５が設置されている。【００５３】
非接続状態で、第１の弁体６の頂部６１は、第１のメス側接続口３０内に挿入している。第１のメス側接続口３０の内径は、頂部６１の自然状態における外径よりもやや小さくなっている。これにより、非接続状態のとき、頂部６１が径方向から締め付けられ、頂部スリット６３がより確実に閉鎖する。【００５４】
また、非接続状態で、第１の弁体６の胴部６２は、ハウジング３の首部３４内に位置する。この首部３４の内径は、胴部６２の外径とほぼ同じになっている。非接続状態では、このような首部３４が胴部６２を保持することにより、ピン挿入空間６５とピン２６とがより確実に一致するとともに、側部スリット６４がより確実に閉鎖する。【００５５】
図２に示すように、首部３４の内周面には、軸方向に沿った複数のリブ（凸条）３４１が形成されている。これにより、胴部６２との接触面積が小さくなり、摺動抵抗を抑えることができる。【００５６】
図１に示すように、ハウジング４は、支持体２に対し摺動可能に設置されており、第２の弁体７の頂面７１１に垂直な方向（Ｘ軸方向）に移動可能である。図示の構成では、ハウジング４の側壁の内面にＸ軸方向に沿って設けられた凸条４２と支持体２の固定部材２３に設けられた凹部２３１とが噛み合いつつ案内することにより、ハウジング４の移動方向がＸ軸方向に規制される。【００５７】
図２に示すように、ハウジング４の底面４３と支持体２との間には、ハウジング４がＸ軸方向に移動したとき図１および図２に示す非接続状態の位置に戻すように付勢するコイルバネ１６が設置されている。このコイルバネ１６の内側には、前述した管状部材５が挿入している。【００５８】
非接続状態で、第２の弁体７の頂部７１は、第２のメス側接続口４０内に挿入している。第２のメス側接続口４０の内径は、頂部７１の自然状態における外径よりもやや小さくなっている。これにより、非接続状態のとき、頂部７１が径方向から締め付けられ、頂部スリット７３がより確実に閉鎖する。【００５９】
また、非接続状態で、第２の弁体７の胴部７２は、ハウジング４の首部４４内に位置する。この首部４４の内径は、胴部７２の外径とほぼ同じになっている。非接続状態では、このような首部４４が胴部７２を保持することにより、ピン挿入空間７５とピン２４とがより確実に一致するとともに、側部スリット７４がより確実に閉鎖する。首部４４の内周面には、前記リブ３４１と同様のリブが設けられている。【００６０】
次に、第１のメス側接続口３０に例えば輸液セットなどのオスルアー１００を接続したときの状態について、図６、図７および図８に基づき、説明する。なお、図７は、図６と同様の状態においてオスルアー１００を図示しないで表した図である。【００６１】
図６に示すように、第１のメス側接続口３０にオスルアー１００を接続する際には、ハウジング３を把持してオスルアー１００の先端部を第１のメス側接続口３０内に挿入していく。この操作を行うと、オスルアー１００の先端面が第１の弁体６の頂面６１１を押圧することによってコイルバネ１５が縮んでいき、ハウジング３と、第１の弁体６（弁部材１１）および支持体２とは、相対的にＹ軸方向に移動する。このとき、第１の弁体６は、Ｙ軸方向に僅かに圧縮されるので、図７に示すように、ピン２６が頂部スリット６３に挿入してこれを押し広げて開く。これと同時に、図７および図８に示すように、胴部６２がＹ軸方向に圧縮されることにより側部スリット６４も開く。なお、ピン２６の先端は、丸みを帯びており、頂部スリット６３に挿入する際、円滑に挿入することができる。【００６２】
これにより、図６に示すように、オスルアー１００内の流路１０１は、頂部スリット６３、側部スリット６４および液体流通空間１２１を介してオス側接続部５０内の流路５１と連通する。【００６３】
なお、オスルアー１００は、第１のメス側接続口３０の内周部に嵌合して固定される。また、第１のメス側接続口３０の外周部には、雄ネジが形成されており、オスルアー１００をネジ式ロック１１０によってより確実に固定することができる。【００６４】
図６ないし図８に示す接続状態においてオスルアー１００の流路１０１から薬液等の液体を流すと、この液体は、頂部スリット６３、側部スリット６４、液体流通空間１２１、オス側接続部５０内の流路５１を順次通過して、オス側接続部５０の開口５２から流出する。このとき、図８において最もよく分かるように、液体流通空間１２１に面した側部スリット７４が閉鎖していることにより第２の弁体７側へ液体が流れるのが防止されるとともに、液体流通空間１２１が滞留を生じさせない形状（入り江を有さない形状）になっているので、オスルアー１００の流路１０１から流入した液体のほぼ全量が滞留することなくオス側接続部５０へ流れる。【００６５】
また、液体流通空間１２１のエアーを薬液等の液体で置換しようとする場合でも、液体流通空間１２１にエアーが残りにくく、エアーと液体との置換、すなわちプライミングをより確実に行うことができる。【００６６】
図６ないし図８に示す接続状態からオスルアー１００を取り外すと、コイルバネ１５の復元力によってハウジング３は第１のメス側接続口３０の内周部で第１の弁体６の頂部６１を締め込む位置まで回復し、これにより、頂部スリット６３および側部スリット６４は閉鎖して、図２および図５に示す非接続状態に戻る。【００６７】
次に、第２のメス側接続口４０に例えば輸液セットなどのオスルアー２００を接続したときの状態について、図９に基づいて説明する。【００６８】
図９に示すように、第２のメス側接続口４０にオスルアー２００を接続する際には、ハウジング４を把持してオスルアー２００の先端部を第２のメス側接続口４０内に挿入していく。この操作を行うと、オスルアー２００の先端面が第２の弁体７の頂面７１１を押圧することによってコイルバネ１６が縮んでいき、ハウジング４と、第２の弁体７（弁部材１１）および支持体２とは、相対的にＸ軸方向に移動する。このとき、第２の弁体７は、Ｘ軸方向に僅かに圧縮されるので、ピン２４が頂部スリット７３に挿入してこれを押し広げて開くとともに、胴部７２がＸ軸方向に圧縮されることにより側部スリット７４も開く。これにより、オスルアー２００内の流路２０１は、頂部スリット７３、側部スリット７４および液体流通空間１２１を介してオス側接続部５０内の流路５１と連通する。なお、ピン２４の先端は、丸みを帯びており、頂部スリット７３に挿入する際、円滑に挿入することができる。【００６９】
なお、オスルアー２００は、第２のメス側接続口４０の内周部に嵌合して固定される。また、第２のメス側接続口４０の外周部には、雄ネジが形成されており、オスルアー２００をネジ式ロック２１０によってより確実に固定することができる。【００７０】
このような接続状態においてオスルアー２００の流路２０１から薬液等の液体を流すと、この液体は、頂部スリット７３、側部スリット７４、液体流通空間１２１、オス側接続部５０内の流路５１を順次通過して、オス側接続部５０の開口５２から流出する。このとき、液体流通空間１２１に面した側部スリット６４が閉鎖していることにより第１の弁体６側へ液体が流れるのが防止されるとともに、液体流通空間１２１が滞留を生じさせない形状（入り江を有さない形状）になっているので、オスルアー２００の流路２０１から流入した液体のほぼ全量が滞留することなくオス側接続部５０へ流れる。【００７１】
このような接続状態からオスルアー２００を取り外すと、コイルバネ１６の復元力によってハウジング４は第２のメス側接続口４０の内周部で第２の弁体７の頂部７１を締め込む位置まで回復し、これにより、頂部スリット７３および側部スリット７４は閉鎖して、図２に示す非接続状態に戻る。【００７２】
以上の説明では、第１のメス側接続口３０、第２のメス側接続口４０の一方にオスルアー１００、２００を接続した場合について説明したが、接続具１では、第１のメス側接続口３０、第２のメス側接続口４０の両方に同時にオスルアー１００、２００を接続して用いることもできるのは言うまでもない。【００７３】
以上説明したような接続具１においては、支持体２に固定された第１の弁体６および第２の弁体７に対してハウジング３および４がそれぞれ移動可能な構成としたことにより、オスルアー１００、２００の脱着前後で液体流通空間１２１の体積変化が極めて小さい。これにより、オスルアー１００、２００を接続した際に流路５１内の液体が開口５２から押し出されたり（ポジフロー）、逆にオスルアー１００、２００を抜去した際に開口５２から流路５１内に液体を吸い込んだり（バックフロー）するのを防止することができ、これらによる弊害を防止することができる。【００７４】
また、本発明では、液体流通部１２と、第１の弁体６および第２の弁体７とをそれぞれ別部材としても良いが、本実施形態のように一体で成形するのが好ましい。これにより、液体流通空間１２１の内壁を滑らかにすることが容易にでき、液体の滞留をより確実に防止することができる。【００７５】
また、第１の弁体６、第２の弁体７を付勢する付勢部材としては、コイルバネ１５、１６に限らず、他の形態のバネでもよい。また、その材質もステンレス鋼等の金属製に限らず、シリコーンゴム等のゴム材料で構成してもよく、その場合、第１の弁体６、第２の弁体７と一体に成形してもよい。【００７６】
支持体２、ハウジング３および４、管状部材５（オス側接続部５０）の材質としては、特に限定されないが、適度な硬さを有するものが好ましく、例えばポリエチレン、ポリプロピレン、ポリカーボネートなどの各種高分子材料が好ましい。【００７７】
本実施形態では、二つのメス側接続口を有する構成について説明したが、本発明の接続具は、メス側接続口が一つのものや、三つ以上のメス側接続口を有するものであってもよい。【００７８】
以上、本発明の接続具を図示の実施形態について説明したが、本発明は、これに限定されるものではなく、接続具を構成する各部は、同様の機能を発揮し得る任意の構成のものと置換することができる。また、任意の構成物が付加されていてもよい。
【産業上の利用可能性】
【００７９】
本発明の接続具によれば、管体の接続・脱離に伴なって流路が確実に開・閉するので、流路の汚染を防止することができる。また、接続具の内部で液体が滞留する個所が生じるのを防止することができる。したがって、産業上の利用可能性を有する。
【図１】
0004728809.tif 000002
【図２】
0004728809.tif 000003
【図３】
0004728809.tif 000004
【図４】
0004728809.tif 000005
【図５】
0004728809.tif 000006
【図６】
0004728809.tif 000007
【図７】
0004728809.tif 000008
【図８】
0004728809.tif 000009
【図９】
0004728809.tif 000010